(57)【要約】      （修正有）【課題】遮光板が小さな面積のものであっても十分大きな面積をカバーすることができるようにした眼鏡用側方遮光装置を提供する。【解決手段】眼鏡のテンプル部分１４に取り付けた蝶番２２と、蝶番に回転自在に軸着されており、適宜テンプル部分の前後に首振り可能に取り付けた遮光性素材からなる遮光板２４とを有する。【選択図】図１
0003196893.tif 000002
【実用新案登録請求の範囲】
【請求項１】
眼鏡のテンプル部分に取り付けた小さな蝶番と、該蝶番に貼り付けられて回転自在に保持されており、前記眼鏡のテンプル部分の側面の上部を覆うサイズを備え、かつテンプル部分の前後に首振り可能とした遮光性素材からなる遮光板とを有することを特徴とする眼鏡用側方遮光装置。
【請求項２】
前記テンプル部分の前後に首振り可能に取り付けた遮光性素材からなる遮光板が、眼鏡のテンプル部分の前方に首振りさせた際に、前記眼鏡のレンズ位置よりも前に突き出るように位置決めされていることを特徴とする請求項１に記載の眼鏡用側方遮光装置。
【考案の詳細な説明】
【技術分野】
【０００１】
この考案は、自動車の運転中において従来は対策のなかった、側方からのまぶしい日差しを遮って運転の安全を確保することができるようにした眼鏡用側方遮光装置に関するものである。
【背景技術】
【０００２】
自動車の運転中などに自動車の前方や斜め前方から太陽光が入ってきたときには非常にまぶしく感じることがあった。そのため、自動車のフロントガラスの内側の上部にサンバイザーが設置されている。
しかしながら、自動車に設置されたサンバイザーはそのカバーする範囲が限定的であり、側方からのまぶし日差しを確実に遮るという点において満足できる機能を備えていないという問題があった。
【０００３】
そのため、特開２００２−１４８５６９号公報（特許文献１参照）に見られるような、直接眼鏡のテンプル等に所望のサイズの日除け（サンシェード）をクリップ式に着脱可能とした日除け（サンシェード）が提案されている。
【先行技術文献】
【特許文献】
【０００４】
【特許文献１】特開２００２−１４８５６９号公報
【考案の概要】
【考案が解決しようとする課題】
【０００５】
しかしながら、前記従来例においては単に所望のサイズや形状の日除け（サンシェード）を眼鏡のテンプル部分に着脱するだけであって、大きな面積を覆うためにはサイズが非常に大きくなってしまったり、小さい面積のものでは十分な日除け作用を得ることが難しいという問題点があった。
ところで考案者は、光が目に入らないためには、目の近くに光を遮蔽するものがあればよいのに着目した。そのためには眼鏡のテンプルに平行に遮光板を取り付ければよいのであるが、多少視野の障害にもなり、かつ目障りにもなってしまう。
そこでこの考案は、必要なときに遮光板を所定位置にセットし、不要になれば回転して簡単に位置を変えられるようにしたものである。
【課題を解決するための手段】
【０００６】
すなわちこの考案の眼鏡用側方遮光装置は、眼鏡のテンプル部分に取り付けた小さな蝶番と、該蝶番に貼り付けられて回転自在に保持されており、前記眼鏡のテンプル部分の側面の上部を覆うサイズを備え、かつテンプル部分の前後に首振り可能とした遮光性素材からなる遮光板とを有することを特徴とするものである。
【０００７】
この考案の眼鏡用側方遮光装置において、前記テンプル部分の前後に首振り可能に取り付けた遮光性素材からなる遮光板は、眼鏡のテンプル部分の前方に首振りさせた際に、前記眼鏡のレンズ位置よりも前に突き出るように位置決めされていることをも特徴とするものである。
【考案の効果】
【０００８】
請求項１の考案によれば、遮光性素材からなる遮光板を眼鏡のテンプル部分の前後に首振り可能に取り付けるようにしたものであるため、日差しに応じて適宜遮光板を前後に首振りさせることにより、前記遮光板によって確実に日差しをカバーすることができるようになった。
請求項２の考案によれば、遮光板は眼鏡のテンプル部分に取り付けた蝶番と、該蝶番に貼り付けて回転自在に保持されており、前記テンプル部分の前に回転させて側方の日差しをカバーでき、後に回転させれば視野の障害となることを防ぎ、うるさい感じをなくすことができる。
【図面の簡単な説明】
【０００９】
【図１】この考案の眼鏡用側方遮光装置の実施の形態を説明するためのものであり、遮光板をテンプル部分の前後に首振り可能とした例における概略上面図である。
【図２】遮光板を後方に回転させた状態の斜視図である。
【図３】遮光板を前方に回転させた状態の斜視図である。
【考案を実施するための形態】
【００１０】
以下、図面に基いてこの考案の眼鏡用側方遮光装置の実施の形態を詳細に説明する。
先ず使用可能な眼鏡１１は、通常の眼鏡と同じく、眼鏡レンズ１３を保持するためのレンズ枠１２と、レンズ枠１２の両側に回転可能に取り付けられた眼鏡のテンプル部分１４，１４とを備えている。
その上でこの考案の眼鏡用側方遮光装置は、前記テンプル部分１４に第１の取付フレーム２１を介して蝶番２２を取り付け、該蝶番２２に第２の取付フレーム２３を介して遮光性素材からなる遮光板２４が必要な角度（０°および１８０°）が得られるように軸着されている。
すなわち、前記遮光板２４は、前記眼鏡のテンプル部分１４の側面の所望の範囲を覆うサイズを備えており、かつテンプル部分１４の前後に首振り可能に取り付けられているのである。
なお、図では遮光性素材からなる遮光板２４を左右のテンプル部分１４，１４のそれぞれに取り付けた場合について説明したが、自動車の運転席（右ハンドルないし左ハンドル）の位置に応じて片方のテンプル部分１４のみに取り付けてもよいことはもちろんである。
なお、蝶番２２による遮光板２４の取付位置は、目尻の位置から３〜４ｃｍ後方が望ましい。
【００１１】
したがって、図２のように前記遮光性素材からなる遮光板２４を眼鏡のテンプル部分１４の後方に回転させた場合には、眼鏡１１の側面からの日差しを遮ることができる。
また、図３のように遮光板２４を眼鏡のテンプル部分１４の前方に回転させた場合には、眼鏡１１の側方からの日差しを遮ることができる。
以上のように、日差しの方向に応じて適宜遮光板２４を前後に首振りさせることにより、前記遮光板２４が小さな面積のものであっても十分大きな面積をカバーすることができるようになった。
【００１２】
なお、前記テンプル部分１４の前後に首振り可能に取り付けた遮光性素材からなる遮光板２４が、眼鏡１１のテンプル部分１４の前方に首振りさせた際に、前記眼鏡１１のレンズ位置よりも前に突き出るように位置決めしておけば、該遮光板２４によって眼鏡１１の多少前方からの日差しをもカバーすることができるようになる。なお遮光板２４があまり前に出ると視野が著しく妨げられるので注意が必要である。
【産業上の利用可能性】
【００１３】
この考案の眼鏡用側方遮光装置は、サングラスや運動用グラス等に極めて有効であるが、通常の近視用や遠視用、伊達眼鏡用の眼鏡にも適用することができるのはいうまでもない。
【符号の説明】
【００１４】
１１  眼鏡
１２  レンズ枠
１３  眼鏡レンズ
１４  眼鏡のテンプル部分
２１  第１の取付フレーム
２２  蝶番
２３  第２の取付フレーム
２４  遮光板
【図１】
0003196893.tif 000003
【図２】
0003196893.tif 000004
【図３】
0003196893.tif 000005